(57)【要約】【課題】  光軸の倒れ調整が容易なレンズ調整装置を提供する。【解決手段】  レンズが固定されるレンズ枠の外周部に、光軸上の点を中心とする球の外面の少なくとも一部をなす摺接外球面を形成し、レンズ枠を保持する保持枠の内周部に、摺接外球面と同一中心で該摺接外球面に接する摺接内球面を形成し、この摺接外球面と摺接内球面を摺動させて保持枠の中心軸に対してレンズ枠を傾動させる傾動制御機構を備える。【選択図】      図４
2005070417.tif 000002
【特許請求の範囲】
【請求項１】
レンズが固定されるレンズ枠の外周部に形成した、光軸上の点を中心とする球の外面の少なくとも一部をなす摺接外球面；
上記レンズ枠を保持する保持枠の内周部に形成した、上記摺接外球面と同一中心で該摺接外球面に接する摺接内球面；及び
上記摺接外球面と摺接内球面を摺動させて保持枠の中心軸に対してレンズ枠を傾動させる傾動制御機構；
を備えたことを特徴とするレンズ調整装置。
【請求項２】
請求項１記載のレンズ調整装置において、上記傾動制御機構は、保持枠の中心軸を中心とする周方向へのレンズ枠と保持枠の相対回動を規制するレンズ調整装置。
【請求項３】
請求項１または２記載のレンズ調整装置において、上記傾動制御機構は、
上記レンズ枠の外周部に形成したビス孔に螺合し、レンズ枠から外径方向に突出する傾動調整ビス；
上記保持枠にその中心軸と平行に形成され、上記傾動調整ビスが移動可能に嵌まるビスガイド溝；及び
上記保持枠の中心軸を中心として上記傾動調整ビスとビスガイド溝の周方向位置を変化させる周方向位置調整手段；
を有し、
上記ビス孔に対する傾動調整ビスの径方向の進退位置に応じて上記レンズ枠と保持枠が互いに固定または固定解除され、固定解除状態で傾動調整ビスをビスガイド溝に沿って前後移動させたとき、上記摺接内球面に対して摺接外球面が摺動してレンズ枠が傾動するレンズ調整装置。
【請求項４】
請求項３記載のレンズ調整装置において、上記レンズ枠と保持枠の外側を覆う筒状体を有し、該筒状体を径方向に貫通して上記傾動調整ビスを筒状体の外側から操作可能にさせる貫通操作孔を有するレンズ調整装置。
【請求項５】
請求項３または４記載のレンズ調整装置において、上記傾動調整ビスとビスガイド溝はそれぞれ、上記レンズ枠と保持枠の周方向に等間隔で位置を異ならせて一対設けられているレンズ調整装置。
【請求項６】
請求項３ないし５のいずれか１項に記載のレンズ調整装置において、上記レンズはカム環の回転に応じて光軸方向に移動可能な可動レンズ群であり、上記保持枠は、
上記カム環のカム溝に係合するフォロアと、上記レンズ枠の摺接外球面に接する第１の摺接内球面とを有する第１の枠体；及び
上記第１の枠体の径方向外側に位置して上記レンズ枠との間に該第１の枠体を挟む挟着環部と、上記第１の摺接内球面とは別に上記レンズ枠の摺接外球面に接する第２の摺接内球面とを有する第２の枠体；
を備え、
上記ビスガイド溝は第２の枠体に形成され、上記傾動調整ビスによって第１の枠体、第２の枠体及びレンズ枠が共締めされるレンズ調整装置。
【請求項７】
請求項６記載のレンズ調整装置において、上記周方向位置調整手段は、
上記第１の枠体の外周部に形成した周方向溝；
上記第２の枠体の挟着部に、上記周方向溝の外側に位置させて形成した径方向への貫通ビス孔；及び
上記周方向溝に係合するガイド突起を先端部に有し、該ガイド突起の基部に上記貫通ビス孔に螺合する螺合部を有する周方向位置調整ビス；
を有し、
上記貫通ビス孔に対する周方向位置調整ビスの径方向の進退位置に応じて、上記第１の枠体と第２の枠体が互いに固定または固定解除され、固定解除状態で上記ガイド突起が上記周方向溝に沿って移動可能になるレンズ調整装置。
【請求項８】
請求項７記載のレンズ調整装置において、上記レンズ枠及び保持枠の外側を覆う筒状体を有し、該筒状体を径方向に貫通して上記周方向位置調整ビスを筒状体の外側から操作可能にさせる貫通操作孔を有するレンズ調整装置。
【発明の詳細な説明】
【技術分野】
【０００１】
本発明は、レンズの位置調整装置に関し、特にレンズ光軸の倒れを調整するティルト装置に関する。
【背景技術】
【０００２】
レンズ鏡筒では、個々の部品が公差内で製造されていても、組み立てた状態で各部品の誤差が累積して、光学性能に無視できない影響が生ずる可能性がある。特に近年では光学系の小型化が進んでおり、従前よりも厳密な精度が要求される傾向にある。そのため、組立状態での光学性能を確保するために様々なレンズ調整装置が提案されている。例えば、特許第２７９４４２４号では、レンズ光軸の倒れを調整するために偏心カムピンを用いたティルト装置が提案されている。このティルト装置では、光軸と直交する軸で回転可能な３つの偏心カムピンをレンズ鏡筒の周方向に所定間隔で設け、該３つの偏心カムピンによってレンズ枠を３点支持した状態となっている。そして、３つの偏心カムピンをそれぞれ適宜回転させるとその光軸方向位置が変化し、レンズの光軸角度が変化する。
【特許文献１】特許第２７９４４２４号公報
【発明の開示】
【発明が解決しようとする課題】
【０００３】
前述した従来の調整手法では３つの偏心カムピンを個別に操作しなければならず、また実際の光軸の倒れに対していずれの偏心カムピンをどの程度操作すればよいのか直感的に分かりにくいので、調整に手間がかかっていた。本発明はこのような煩雑さを解消し、光軸の倒れ調整を容易に行えるレンズ調整装置を提供するものである。
【課題を解決するための手段】
【０００４】
本発明のレンズ調整装置は、レンズが固定されるレンズ枠の外周部に、光軸上の点を中心とする球の外面の少なくとも一部をなす摺接外球面を形成し、レンズ枠を保持する保持枠の内周部に、摺接外球面と同一中心で該摺接外球面に接する摺接内球面を形成し、この摺接外球面と摺接内球面を摺動させて保持枠の中心軸に対してレンズ枠を傾動させる傾動制御機構を備えたことを特徴としている。
【０００５】
傾動制御機構は、保持枠の中心軸を中心とする周方向へのレンズ枠と保持枠の相対回動を規制することが好ましい。
【０００６】
傾動制御機構の一形態として、レンズ枠の外周部に形成したビス孔に螺合して該レンズ枠から外径方向に突出する傾動調整ビスと、この傾動調整ビスが移動可能に嵌まるように保持枠に形成した、該保持枠の中心軸と平行なビスガイド溝と、保持枠の中心軸を中心として傾動調整ビスとビスガイド溝の周方向位置を変化させる周方向位置調整手段とを設けることが好ましい。この構造では、ビス孔に対する傾動調整ビスの径方向の進退位置に応じてレンズ枠と保持枠が互いに固定または固定解除され、固定解除状態で傾動調整ビスをビスガイド溝に沿って前後移動させたとき、摺接内球面に対して摺接外球面が摺動してレンズ枠が傾動する。
【０００７】
傾動調整ビスとビスガイド溝はそれぞれ、レンズ枠と保持枠の周方向に等間隔で位置を異ならせて一対設けられていることが好ましい。
【０００８】
本発明は、カム環の回転に応じて光軸方向に移動可能な可動レンズ群の支持構造として適用可能である。この場合には、保持枠を第１の枠体と第２の枠体から構成し、第１の枠体には、カム環のカム溝に係合するフォロアとレンズ枠の摺接外球面に接する第１の摺接内球面とを設け、第２の枠体には、第１の枠体の径方向外側に位置してレンズ枠との間に該第１の枠体を挟む挟着環部と、第１の摺接内球面とは別にレンズ枠の摺接外球面に接する第２の摺接内球面とを設け、上記のビスガイド溝は第２の枠体に形成して、傾動調整ビスによって第１の枠体、第２の枠体及びレンズ枠が共締めされるようにするとよい。
【０００９】
保持枠が第１と第２の枠体からなる場合、第１の枠体の外周部に形成した周方向溝と、この周方向溝の外側に位置させて第２の枠体の挟着部に形成した径方向への貫通ビス孔と、周方向溝に係合するガイド突起を先端部に有し、該ガイド突起の基部に貫通ビス孔に螺合する螺合部を有する周方向位置調整ビスとによって周方向位置調整手段を構成することができる。すなわち、貫通ビス孔に対する周方向位置調整ビスの径方向の進退位置に応じて第１の枠体と第２の枠体が互いに固定または固定解除され、固定解除状態でガイド突起が周方向溝に沿って移動可能になる。
【００１０】
レンズ枠及び保持枠の外側を覆う筒状体を有するレンズ鏡筒などに本発明を適用した場合には、この筒状体を径方向に貫通して傾動調整ビスを筒状体の外側から操作可能とする貫通操作孔を設けると作業性が良い。また、周方向位置調整ビスについても同様に、筒状体の外側から操作可能とさせる貫通操作孔を設けるとよい。
【発明の効果】
【００１１】
以上の本発明によれば、光軸の倒れ調整を容易に行えるレンズ調整装置を得ることができる。
【発明を実施するための最良の形態】
【００１２】
図１及び図２は、本発明を適用したレンズ調整装置を備えているズームレンズ鏡筒１０の概略断面図であり、図１が光軸の倒れ調整前、図２が調整後の状態を示している。ズームレンズ鏡筒１０における撮影光学系は、光軸方向前方から順に第１レンズ群Ｌ１、第２レンズ群Ｌ２、絞Ａ、第３レンズ群Ｌ３で構成され、各レンズ群を光軸Ｏに沿って相対移動させることでズーミングを行う。ズームレンズ鏡筒１０はマウント環１１を介して不図示のカメラ本体に着脱可能であり、該カメラ本体にはシャッタが内蔵されている。
【００１３】
マウント環１１の前部には固定環（筒状体）１２が固定されている。固定環１２は、光軸Ｏを中心とする同心の外側筒部１３と内側筒部１４を有し、この外側筒部１３と内側筒部１４の後端部がマウント環１１に結合されたコ字型の断面形状となっている。マウント環１１をカメラ本体に取り付けた状態では、固定環１２はカメラ本体に対して固定され、回転も光軸方向移動も行わない。
【００１４】
外側筒部１３の外周面には光軸Ｏを中心として回転操作可能にズームリング（筒状体）１５が支持され、ズームリング１５は内径方向にズームレバー１６を延出させている。ズームレバー１６は、外側筒部１３に形成した径方向への貫通孔１３ａを通してカム環（筒状体）２０に固定されている。カム環２０は、内側筒部１４の外周面に支持されており、光軸Ｏを中心として回転可能である。したがって、ズームリング１５とカム環２０はズームレバー１６を介して一体に回転する。貫通孔１３ａは、ズームリング１５及びカム環２０が回転したときにズームレバー１６と干渉しないように周方向へ長く形成されている。
【００１５】
カム環２０には、光軸方向前方からＣ１、Ｃ２、Ｃ３という３種類のカム溝が形成されている。カム溝Ｃ１に対しては、第１レンズ群Ｌ１を支持する１群移動枠２１に設けたカムフォロア２１ａが係合し、カム溝Ｃ２に対しては、第２レンズ群Ｌ２を支持する２群移動枠（保持枠、第１の枠体）２２に設けたカムフォロア２２ａが係合し、カム溝Ｃ３に対しては、第３レンズ群Ｌ３を支持する３群移動枠２３に設けたカムフォロア２３ａが係合する。なお、２群移動枠２２と３群移動枠２３が内側筒部１４の内側に位置するのに対し、１群移動枠２１はカム環２０と外側筒部１３の間（内側筒部１４の外周面側）に支持されている。これに応じて、カムフォロア２１ａは１群移動枠２１から内径方向へ向けて突出され、カムフォロア２２ａとカムフォロア２３ａはそれぞれ２群移動枠２２と３群移動枠２３から外形方向へ向けて突出されている。各カムフォロア２１ａ、２２ａ及び２３ａはさらに、内側筒部１４に形成した光軸Ｏと平行な直進案内溝２４に係合しており、光軸方向に直進案内されている。つまり、１群移動枠２１、２群移動枠２２及び３群移動枠２３は、光軸Ｏに沿う方向へは移動可能で光軸Ｏを中心とする回転は行わないように、直進案内溝２４によって案内される。
【００１６】
以上の構成から、ズームリング１５を回転操作するとカム環２０が回転し、カム環２０が回転すると、１群移動枠２１、２群移動枠２２及び３群移動枠２３が、対応するカム溝Ｃ１ないしＣ３の形状に応じて光軸方向に所定の軌跡で進退移動する。この３つのレンズ群Ｌ１ないしＬ３の光軸方向の相対移動によってズーミングが行われる。絞Ａは３群移動枠２３に支持されており、第３レンズ群Ｌ３と共に移動する。
【００１７】
本ズームレンズ鏡筒１０では、第２レンズ群Ｌ２の支持機構に光軸の倒れ調整（ティルト）手段が設けられている。第２レンズ群Ｌ２を直接に保持する部材は２群レンズ枠（レンズ枠）３０であり、該２群レンズ枠３０が２群押さえ枠（保持枠、第２の枠体）３１を用いて上記の２群移動枠２２に固定される。
【００１８】
図３に示すように、２群レンズ枠３０の外周部は、光軸Ｏ上の任意の中心点Ｋを中心とする半径ｒの球の外面の一部である摺接外球面Ｐ１として形成されている。２群押さえ枠３１は、光軸方向前方の一部領域に２群移動枠２２と重ならない径方向フランジ３２を有し、該径方向フランジ３２よりも後方に２群移動枠２２の径方向外側に重なる挟着環部３３を有するＬ字状の断面形状を有しており、径方向フランジ３２の内周部に摺接内球面（第２の摺接内球面）Ｐ２が形成されている。摺接内球面Ｐ２は、摺接外球面Ｐ１と同じ球（中心点Ｋ、半径ｒ）の内面の一部であり、２群レンズ枠３０の摺接外球面Ｐ１に対して摺動可能に接する。
【００１９】
図３に示すように、２群移動枠２２の先端部は、２群押さえ枠３１の径方向フランジ３２及び挟着環部３３と、２群レンズ枠３０の摺接外球面Ｐ１とに囲まれた空間Ｓに対して光軸方向後方から挿入される。この２群移動枠２２の先端部付近の内周面には、摺接内球面Ｐ２と同様に光軸上の中心点Ｋを中心とした半径ｒの球の内面である摺接内球面（第１の摺接内球面）Ｐ３が形成されている。２群移動枠２２の先端部を空間Ｓに挿入していくと、摺接内球面Ｐ３が２群レンズ枠３０の摺接外球面Ｐ１に対して摺動可能に接する。また、２群移動枠２２の外周面２２ｂと挟着環部３３の内周面３３ａは光軸Ｏを中心とする円筒面であり、両周面は互いに周方向に相対回動可能に接する。
【００２０】
２群押さえ枠３１には、光軸方向に前後位置を異ならせて、挟着環部３３を径方向に貫通する第１ビス螺合孔（貫通ビス孔）３４とビスガイド溝３５が形成されている。このうち光軸方向後方に位置する第１ビス螺合孔３４に対して、第１ビス（周方向位置調整ビス）４０の基部側に設けた螺合部４０ａが螺合可能である。第１ビス４０は、螺合部４０ａの先端側に小径のガイドピン（ガイド突起）４０ｂを有し、このガイドピン４０ｂは、２群移動枠２２の外周面２２ｂ上に形成した周方向溝３６（図６ないし図９参照）に嵌まっている。第１ビス螺合孔３４に第１ビス４０の螺合部４０ａを締め込んでいくと、ガイドピン４０ｂの先端部が周方向溝３６の底面に押し付けられ、２群移動枠２２と２群押さえ枠３１は互いに固定される。すなわち、周方向溝３６内でのガイドピン４０ｂの移動が規制された状態になる。一方、第１ビス螺合孔３４と螺合部４０ａの螺合を緩めると、２群移動枠２２と２群押さえ枠３１は周方向溝３６とガイドピン４０ｂにガイドされて相対回動可能になる。
【００２１】
ビスガイド溝３５は光軸Ｏに沿う方向（２群押さえ枠３１の中心軸と平行な方向）への長溝として形成されており、該ビスガイド溝３５に対して、その長手方向に移動可能かつ周方向に移動規制された状態で第２ビス（傾動調整ビス）４１が挿入される。第２ビス４１の軸線は上記中心点Ｋを中心とする径方向に向いている。ビスガイド溝３５は、開口凹部３７を通して２群押さえ枠３１の外周面側に開口している。図５から分かるように、開口凹部３７はビスガイド溝３５よりも幅広であり、該開口凹部３７の底部には湾曲底面３８が形成されている。湾曲底面３８は上記各球面Ｐ１、Ｐ２及びＰ３と同心の円弧状面として形成されており、第２ビス４１のビスヘット４１ｓが湾曲底面３８に当て付いている。２群レンズ枠３０の摺接外球面Ｐ１上には、ビスガイド溝３５の内方に位置する第２ビス螺合孔（ビス孔）３９が形成されており、該第２ビス螺合孔３９に対して、ビスガイド溝３５に挿通された第２ビス４１の先端部が螺合可能である。
【００２２】
２群移動枠２２、２群レンズ枠３０、２群押さえ枠３１は、第２ビス４１を締め込むことによって共締めされる。すなわち、２群レンズ枠３０と２群押さえ枠３１の間の空間Ｓに２群移動枠２２を挿入した状態で、鏡筒内径方向に進むように第２ビス４１を締め込むと、２群押さえ枠３１の挟着環部３３の内周面３３ａが２群移動枠２２の外周面２２ｂを２群レンズ枠３０側に押し付け、この押し付け力により摺接外球面Ｐ１と摺接内球面Ｐ３が密着される。２群押さえ枠３１は同時に、径方向フランジ３２に形成した摺接内球面Ｐ２を摺接外球面Ｐ１に密着させる。これにより２群レンズ枠３０と２群押さえ枠３１の間に２群移動枠２２が挟着された状態となり、２群移動枠２２、２群レンズ枠３０及び２群押さえ枠３１は一体化される。逆に、鏡筒外径方向へ進むように第２ビス４１を緩めると、摺接内球面Ｐ２及び摺接内球面Ｐ３に対して２群レンズ枠３０の摺接外球面Ｐ１を摺動させることが可能になる。また、２群移動枠２２に対して、外周面２２ｂと内周面３３ａを摺接させて２群押さえ枠３１を光軸中心に回転させることが可能になり、摺接外球面Ｐ１と摺接内球面Ｐ３を摺接させて２群レンズ枠３０を回転させることも可能になる。但し、第２ビス４１はビスガイド溝３５に対して周方向移動が規制されるので、第２ビス４１を締め込んだ状態と緩めた状態のいずれにおいても２群レンズ枠３０と２群押さえ枠３１は相対回動不能である。
【００２３】
図６に示すように、第２ビス４１とビスガイド溝３５はそれぞれ、上記球面Ｐ１ないしＰ３の中心点Ｋに関して対称に配置されるように、周方向に１８０度間隔で一対が設けられている。図６では第２ビス４１の背後に位置するため見えていないが、第１ビス４０と第１ビス螺合孔３４もまた、周方向に１８０度間隔で一対が設けられている。図１に示すように、ズームレンズ鏡筒１０には、各一対の第１ビス４０と第２ビス４１を鏡筒完成状態で外部から回転操作可能にさせるために、一対のドライバー挿通孔（貫通操作孔）４２と、その後方に位置する一対のドライバー挿通孔（貫通操作孔）４３とが形成されている。各ドライバー挿通孔４２、４３は、鏡筒内径側から順に内側筒部１４、カム環２０、外側筒部１３、ズームリング１５を貫通しており、ズームリング１５の外周面に取り付けられたカバーリング１７で開口部が覆われている。カバーリング１７はゴムなどの弾性材料からなり、通常は全てのドライバー挿通孔４２、４３を覆って有害光がレンズ鏡筒内に入らないように遮光しているが、めくり上げることでドライバー挿通孔４２、４３を露出させることができる。カバーリング１７はまた、ズームリング１５を回転操作させるときの指掛かり部としても機能する。
【００２４】
一対の第２ビス４１をビスガイド溝３５に沿って光軸方向に前後移動させると、摺接内球面Ｐ２及び摺接内球面Ｐ３に対して摺接外球面Ｐ１を摺動させて、２群レンズ枠３０は光軸上の中心点Ｋを中心として前後方向に傾動する。このとき、ビスヘッド４１ｓは各球面Ｐ１ないしＰ３と同心の湾曲底面３８に沿って移動するので、２群レンズ枠３０の傾動を妨げない。２群レンズ枠３０が傾動すると、図４に示すように、第２レンズ群Ｌ２の光軸（２群レンズ枠３０の中心軸）が他のレンズ群Ｌ１、Ｌ３の光軸（２群移動枠２２と２群押さえ枠３１の中心軸）に対して上記任意点Ｋを中心として傾く。このときの第２レンズ群Ｌ２のティルト角は、前後方向への第２ビス４１の移動量（第２ビス４１の軸線の倒れ角）に対応しており、例えば、図４のように上方の第２ビス４１を角度α前傾させたときには、第２レンズ群Ｌ２の光軸は下方に向けて角度α傾く。第２ビス４１は軸対称の位置に一対が設けられており、かつ各第２ビス４１はビスガイド溝３５に対して周方向への移動が規制されているので、第２レンズ群Ｌ２の光軸は常に、一対の第２ビス４１の軸線と上記中心点Ｋとを含んだ平面Ｑ（図６）内でティルトする。
【００２５】
以上の構成による光軸の倒れ調整の手順を、図７ないし図９を主に参照して説明する。図７ないし図９は、２群移動枠２２、２群レンズ枠３０及び２群押さえ枠３１を正面視したパートと、上側の第１ビス４０及び第２ビス４１付近を平面視したパートを同時に示しており、正面視したパートでは図中の上下方向がズームレンズ鏡筒１０の上下方向に相当し、平面視したパートでは図中の上下方向は光軸前後方向に相当する。
【００２６】
ズームレンズ鏡筒１０を組み立てる際には、摺接外球面Ｐ１と摺接内球面Ｐ２及びＰ３の摺動を許す程度の強さで第２ビス４１を仮締めして、２群移動枠２２、２群レンズ枠３０及び２群押さえ枠３１を一体化させておく。そして、ズームレンズ鏡筒１０を組み立てた段階で投影チャートによって光軸の倒れをチェックする。
【００２７】
図７は倒れ調整前の状態である。このとき、一対の第２ビス４１はそれぞれ、挿入されたビスガイド溝３５の長手方向の略中央部に位置している。つまり、第２ビス４１周りを縦断面で見た場合は図３の状態になっている。前述の通り、一対の第２ビス４１の軸線を含んだ平面Ｑ内（図７の太矢印方向）がティルト可能な方向であるが、光学性能チェックの結果、この平面Ｑに含まれない矢印Ｔ方向への光軸のティルトが必要になったとする。
【００２８】
まず図８示すように、ティルトさせるべき方向である矢印Ｔがティルト可能平面Ｑに含まれるように、２群レンズ枠３０と２群押さえ枠３１を回転させる。この回転操作は、第１ビス４０を緩めてから行う。前述の通り、第１ビス４０を緩めると、２群レンズ枠３０と２群押さえ枠３１が２群移動枠２２に対して相対回動可能になる。２群移動枠２２はカムフォロア２２ａと直進案内溝２４の係合によって回動が規制されているので、第１ビス４０を緩めた状態で該第１ビス４０を周方向に移動させると、ガイドピン４０ｂが周方向溝３６にガイドされて、２群移動枠２２に対して２群レンズ枠３０と２群押さえ枠３１の結合体が回動する。ビスガイド溝３５と第２ビス４１はいずれもこの回動する２群レンズ枠３０と２群押さえ枠３１に設けられているので、結果として図８のようにティルト可能平面Ｑの角度が変化する。
【００２９】
図８の状態になったら一対の第１ビス４０を締め込み、２群移動枠２２と２群押さえ枠３１を固定させる。これにより、第２ビス４１を緩めたとしても、２群押さえ枠３１側の摺接内球面Ｐ２と２群移動枠２２側の摺接内球面Ｐ３との相対位置がずれることがなくなる。このとき一対の第２ビス４１は、摺接内球面Ｐ２及びＰ３に対する摺接外球面Ｐ１の摺動を許す程度の仮締め状態にあるので、結果として、第１ビス４０で一体化された２群移動枠２２と２群押さえ枠３１に対して２群レンズ枠３０のみが可動になる。仮に第２ビス４１を締め込み過ぎてい場合には、緩めて２群レンズ枠３０を可動にさせる。
【００３０】
この時点で、必要とされるティルト方向Ｔはティルト可能平面Ｑと一致しているので、第２レンズ群Ｌ２の光軸がＴ方向に傾くように一対の第２ビス４１を前後方向に移動させる。具体的には、図９に示すように上側の第２ビス４１（４１Ａ）をビスガイド溝３５の前端部方向に移動（厳密には中心点Ｋを中心とした傾動。以下同様）させると、摺接外球面Ｐ１が摺接内球面Ｐ２、Ｐ３上を摺動して第２レンズ群Ｌ２の光軸がＴ方向に傾き、該上側の第２ビス４１（４１Ａ）をビスガイド溝３５の後端部方向に移動させた場合には、第２レンズ群Ｌ２の光軸がＴ方向とは反対のＴ′方向に傾く。このとき下側の第２ビス４１（４１Ｂ）は、第２レンズ群Ｌ２の傾動の中心点Ｋに関して上側の第２ビス４１（４１Ａ）と対称の位置に移動する。すなわち、Ｔ方向へのティルトの際にはビスガイド溝３５の後端部方向へ移動し、Ｔ′方向へのティルトの際には同前端部方向へ移動する。一対の第２ビス４１は連動して機能するものであるから、調整の際には上下いずれの第２ビス４１を操作してもよい。
【００３１】
図９に対応するティルト機構の縦断面は図４であり、図４のように第２レンズ群Ｌ２をＴ方向へ所定角（α）傾動させることで撮影光学系全体の光軸の倒れが補正されたら、一対の第２ビス４１を締め込み、２群移動枠２２及び２群押さえ枠３１に対して２群レンズ枠３０を再び固定させる。これにより、第２レンズ群Ｌ２は図２のようにティルト調整後の角度に維持される。
【００３２】
以上のように光軸の倒れ調整作業では、第１ビス４０に対しては、固定及び固定解除時のビス自身の回転操作と、ティルト可能平面Ｑとティルト方向Ｔを一致させるための周方向への移動操作とを行う。また第２ビス４１に対しては、固定及び固定解除時のビス自身の回転操作と、２群レンズ枠３０の傾動角調整のための前後移動操作（中心点Ｋを中心とした傾動）とを行う。いずれの作業を行う場合も、弾性材料からなるカバーリング１７をめくってドライバー挿通孔４２または４３を露出させ、操作対象が第１ビス４０であればドライバー挿通孔４３に、第２ビス４１であればドライバー挿通孔４２にドライバーを挿入すればよい。ドライバー挿通孔４２は、第２ビス４１を前後方向に移動させる際にドライバーと干渉しないように、前後方向に十分な開口幅をもって形成されている。また、ドライバー挿通孔４３は、その周方向形状が図１及び図２には表れていないが、第１ビス４０を周方向に移動させる際にドライバーと干渉しないように、周方向に十分な長さを有している。したがって、光軸の倒れ調整に関する作業は、ズームレンズ鏡筒１０を分解せずに投影チャートを見ながら行うことができる。なお、本実施形態ではカバーリング１７を弾性部材としたが、カバーリング１７はズームリング１５に対して着脱可能なタイプとし、調整時にカバーリング１７を取り外すような構造としてもよい。
【００３３】
以上の説明から分かるように、本実施形態の構成によれば、球面によって２群レンズ枠３０を支持し、ティルト可能平面Ｑがティルト方向Ｔと一致するようにした上で第２ビス４１を前後方向に移動させるだけで光軸の倒れ調整が行えるようになっている。もちろん、ティルト方向Ｔとティルト可能平面Ｑが最初から一致しているときは、第２ビス４１を前後させるだけでよい。このティルト手法は、３点支持の偏心ピンの相関関係によって行うような従来のティルト操作に比べて感覚的に理解しやすく容易に行うことができ、作業性に優れている。
【００３４】
また、本実施形態ではドライバー挿通孔４２、４３を設けてティルト調整用の各ビス４０、４１を外部から操作可能としたので、第１レンズ群Ｌ１のように外部に露出しない第２レンズ群Ｌ２が調整対象であっても、鏡筒を分解することなく調整することが可能であり、作業性はさらに向上している。
【００３５】
但し、本発明は図示した実施形態に限定されるものではない。例えば、実施形態では周方向に１８０度間隔で各ビス４０、４１をそれぞれ一対設けているが、光軸の倒れ調整はそれぞれのビスが少なくとも１つあれば実行することができる。
【００３６】
また、実施形態ではカム環２０の回転によって光軸方向に進退される可動レンズ群（第２レンズ群Ｌ２）によって光軸の倒れ調整を行っているが、光軸方向に移動しない固定レンズで倒れ調整を行ってもよい。例えば、実施形態における２群移動枠２２を固定環１２への固定部材とすれば、第２レンズ群Ｌ２は固定レンズ群になる。
【００３７】
また本発明の適用対象は、図示実施形態のような３群ズームタイプの光学系に限定されないことは言うまでもない。
【図面の簡単な説明】
【００３８】
【図１】本発明を適用したレンズ調整装置を有するズームレンズ鏡筒の縦断面図である。
【図２】図１のズームレンズ鏡筒において第２レンズ群のティルトを行った状態の縦断面図である。
【図３】図１のズームレンズ鏡筒における第２レンズ群の支持機構付近を拡大した縦断面図である。
【図４】図２のティルト状態における第２レンズ群の支持機構付近を拡大した縦断面図である。
【図５】図３の矢印Ｖ方向から見た２群押さえ枠の平面図である。
【図６】２群レンズ枠、２群押さえ枠及び２群移動枠を正面から見た図である。
【図７】光軸の倒れ調整作業の一例において、調整前の状態を示す図である。
【図８】同調整作業の途中の状態を示す図である。
【図９】同調整作業が完了した状態を示す図である。
【符号の説明】
【００３９】
Ｃ１  Ｃ２  Ｃ３  カム溝
Ｋ  摺接内球面及び摺接外球面の中心
Ｌ１  第１レンズ群
Ｌ２  第２レンズ群
Ｌ３  第３レンズ群
Ｐ１  摺接外球面
Ｐ２  摺接内球面（第２の摺接内球面）
Ｐ３  摺接内球面（第１の摺接内球面）
Ｑ  ティルト可能平面
１０  ズームレンズ鏡筒
１２  固定環（筒状体）
１３  外側筒部
１４  内側筒部
１５  ズームリング（筒状体）
１７  カバーリング
２０  カム環（筒状体）
２１  １群移動枠
２２  ２群移動枠（保持枠、第１の枠体）
２３  ３群移動枠
２１ａ  ２２ａ  ２３ａ  カムフォロア
２４  直進案内溝
３０  ２群レンズ枠（レンズ枠）
３１  ２群押さえ枠（保持枠、第２の枠体）
３２  径方向フランジ
３３  挟着環部
３４  第１ビス螺合孔（貫通ビス孔）
３５  ビスガイド溝
３６  周方向溝
３７  開口凹部
３８  湾曲底面
３９  第２ビス螺合孔（ビス孔）
４０  第１ビス（周方向位置調整ビス）
４０ａ  螺合部
４０ｂ  ガイドピン（ガイド突起）
４１（４１Ａ  ４１Ｂ）  第２ビス（傾動調整ビス）
４１ｓ  ビスヘット
４２  ４３  ドライバー挿通孔（貫通操作孔）
【図１】
2005070417.tif 000003
【図２】
2005070417.tif 000004
【図３】
2005070417.tif 000005
【図４】
2005070417.tif 000006
【図５】
2005070417.tif 000007
【図６】
2005070417.tif 000008
【図７】
2005070417.tif 000009
【図８】
2005070417.tif 000010
【図９】
2005070417.tif 000011